(57)【特許請求の範囲】
【請求項１】
元柱及び先柱それぞれの案内滑車の間に延びる引戻索に走行自在に取付けられ、かつ先柱の案内滑車を通し折り返された該引戻索の端が接続される搬器本体と、搬器本体の走行を引戻索に解除自在に固定する固定手段と、搬器本体に着脱自在に取付けられ元柱の側から延びる引寄索が通される荷掛案内滑車とを備え、この荷掛案内滑車を通した引寄索に搬送される荷が掛けられ
該固定手段は、該引戻索を元柱側において解除自在に、かつ着脱自在に把持する把持器と、把持器と搬器本体とをつなぐ連結索とを備え、
該把持器は、連結索が緊張状態のときには引戻索を把持し、弛緩状態のときには把持を解除し引戻索から自在に離脱する、ことを特徴とする集材用搬器。
【発明の詳細な説明】
【０００１】
【発明の属する技術分野】
本発明は、木材などの荷を吊り下げ索上を走行する集材用搬器に関する。
【０００２】
【従来の技術】
林業における集材作業においては、元柱及び先柱の間にワイヤケーブルによる索を架設し、この索に搬器を走行自在に取付け、木材を搬器に吊り下げ、集材機であるウインチにより搬器を引寄せあるいは引戻すことにより、木材を搬送し、集材が行われる。
【０００３】
図４及び図５を参照して、搬器及びそれを用いた木材搬送方法の典型例について説明する。集材機３０の引戻用ウインチ３０ａから元柱３２及び先柱３４それぞれの案内滑車３６、３７の間に延びる引戻索３８に搬器４０が走行自在に取付けられている。この搬器４０は、本体４０ａに上下一対の滑車４０ｂ、４０ｃを備え、上方の滑車４０ｂが引戻索３８に走行自在に掛けられるとともに、本体４０ａには先柱３４の滑車３７を通し折り返された引戻索３８の端３９が接続されている。下方の滑車４０ｃには、元柱３２に取付けられた案内滑車４２を通して集材機３０の引寄用ウインチ３０ｂから延びる引寄索４４が通され、その先端に荷掛フック４６が取付けらている。
【０００４】
元柱３２の側に設けられた集材場所５０に木材４８を搬送するには、ウインチ運転者は先ず空荷の搬器４０を、荷掛フック４６を搬器４０の所まで巻き上げ、引戻索３８及び引寄索４４を緊張させて、空中に持ち上げる。そして、引戻索３８及び引寄索４４を巻取りあるいは繰り出して、搬器４０を搬送する木材４８の近くまで送る。目標位置に搬器４０が達したら、これらの索を緩めて搬器４０を地上に降ろす。降ろされた搬器４０の近くの玉掛作業者は、ウインチ運転者に指示を出し、引寄索４４を送り出すように促し、図４にＫ１で示すように、搬器４０から引寄索４４を引き出し、搬送する木材４８の所まで引寄索４４のワイヤを４６を引きずって行き、荷掛フック４６を木材４８に掛ける。
【０００５】
木材４８に荷掛フック４６を掛け終わったら、ウインチ運転者は引戻用ウインチ３０ａ及び引寄用ウインチ３０ｂを操作してそれぞれを緊張させ、木材４８を吊り上げる（図４のＫ２の状態）。そして、引寄索４４を巻取り、引戻索３８を繰り出して、木材４８を吊り下げた搬器４０を引戻索３８上を走らせ、木材４８を集材場所５０に搬送する。
【０００６】
【発明が解決しようとする課題】
しかしながら上述したとおりの形態の従来の集材用搬器には、次のとおりの解決すべき問題がある。
【０００７】
（１）木材へのワイヤ掛け：
搬送する木材４８に引寄索４４の荷掛フック４６を掛ける際、地上に降りた搬器４０から引寄索４４のワイヤを引き出しながら、ワイヤを木材４８の所まで引いて行くのには、ワイヤの引きずり抵抗及びワイヤ自体の目方が大きく作用するので、ワイヤの取り回しには大きな労力が必要である。
【０００８】
（２）搬器の構造及び取付形態：
ワイヤの取り回しを容易にするために搬器４０の内部にウインチを備えたものもあるが、費用的に高いものになり、また搬器の大きさ、そして重量も大きくなってしまう。図４に二点鎖線で示すように搬器４０に引寄索５２を結び元柱３２に案内滑車５４を追加してウインチで引っ張り、搬器を地上に降ろさないで空中に位置付けることも行われるが、新たな集材機の設置、架設工事など、追加の設備、経費が必要になる。
【０００９】
（３）搬器の運搬：
木材を吊るための搬器は強固で重量がある。したがって、集材場所の移動などの際の不整な集材地での搬器の運搬には、大きな労力が必要である。また、木材へのワイヤ掛けなどワイヤの取り回しにおいても搬器の移動の必要なことがあり、搬器の軽量化が望まれている。前述のように搬器にウインチを備えると、重量は重くなり、搬器の運搬はより困難になる。
【００１０】
本発明は上記事実に鑑みなされたもので、その技術的課題は、搬器を地上に降ろすことなしに集材用のワイヤの取り回しができるようにし、また集材場所の移動などの際の搬器の運搬も容易に行なえるようにした、集材用搬器を提供することである。
【００１１】
【課題を解決するための手段】
請求項１に記載された発明は、元柱及び先柱それぞれの案内滑車の間に延びる引戻索に走行自在に取付けられ、かつ先柱の案内滑車を通し折り返された該引戻索の端が接続される搬器本体と、搬器本体の走行を引戻索に解除自在に固定する固定手段と、搬器本体に着脱自在に取付けられ元柱の側から延びる引寄索が通される荷掛案内滑車とを備え、この荷掛案内滑車を通した引寄索に搬送される荷が掛けられ該固定手段は、該引戻索を元柱側において解除自在に、かつ着脱自在に把持する把持器と、把持器と搬器本体とをつなぐ連結索とを備え、該把持器は、連結索が緊張状態のときには引戻索を把持し、弛緩状態のときには把持を解除し引戻索から自在に離脱する、ことを特徴とする集材用搬器である。
【００１２】
そして、引戻索に掛けられ、案内滑車を通したこの引戻索が連結された搬器本体を、固定手段によって引戻索に固定することにより、荷を掛ける引寄索に関係なしに搬器本体を空中に維持できるようにする。そして、ワイヤの取り回しを地上の引きずりを最小限にして容易にできるようにする。また、ウインチなど備える必要もないので、搬器を簡素化軽量化し、運搬も容易にできるようにする。さらに、簡単で、操作の容易な把持器により、引戻索に搬器を解除自在に容易に固定することができるようにする。
【００１９】
【発明の実施の形態】
以下、本発明に従って構成された集材用搬器について、好適実施形態を図示している添付図面を参照して、さらに詳細に説明する。なお、図１〜図３において図４と実質上同一の部分は同一の符号で示されている。
【００２０】
図１及び図２を参照して説明すると、本発明に係る全体を番号２で示す集材用搬器（以下単に搬器と呼ぶことがある）は、元柱３２及び先柱３４それぞれの案内滑車３６、３７の間に延びる引戻索３８に走行自在に取付けられ、かつ先柱３４の案内滑車３７を通し折り返えされた引戻索３８の端３９が接続される搬器本体４と、搬器本体４の走行を解除自在に引戻索３８に固定する固定手段６と、搬器本体４に着脱自在に取付けられ元柱３２に取付けられた案内滑車４２から延びる引寄索４４が通される荷掛案内滑車８とを備えている。
【００２１】
ワイヤロープである引戻索３８及び引寄索４４は、元柱３２側に設置された集材機３０にそれぞれの一端が、引戻索３８が案内滑車３６を通して引戻ウインチ３０ａに、引寄索４４が案内滑車４２を通して引寄ウインチ３０ｂにそれぞれ巻取り及び繰り出し自在に接続している。元柱３２及び先柱３４には立木が用いられ、それぞれに取付けられた案内滑車３６、３７、並びに搬器本体４に取付けられた荷掛案内滑車８は、鋳鋼あるいは特殊鋼などで製作された回転自在な周知の滑車である。
【００２２】
搬器本体４について図２とともに図３を参照して説明する。搬器本体４は、引戻索３８上を自在に走行する滑車部１０と、滑車部１０に着脱自在に取付けられ引戻索３８の端及び荷掛案内滑車８が取付けられる本体部１２とを備えている。
【００２３】
滑車部１０は、一対の間隔を置いて重ねられた楕円板状のカバー１０ａ、１０ｂを備え、その間に滑車１０ｃがボールベアリング１０ｄを介しピン１０ｅに回転自在に取付けられている。カバー１０ａ、１０ｂの上端側には、間隔を規定する筒状スペーサ１０ｆが、ピン１０ｅと平行にして挟まれ、ボルト１０ｇが通されナット１０ｈにより取付けられている。カバー１０ａ、１０ｂの下端側には、ピン１０ｅと平行に、本体部１２を取付けるための筒状スペーサ１４ａ、ボルト１４ｂ及びナット１４ｃが備えられている。
【００２４】
本体部１２は板部材を略菱形に切断した形状に形成され、角部の一つはカバー１０ａ、１０ｂの下端部の間に差し込まれ、角部に形成された貫通孔に上述の筒状スペーサ１４ａが通されて、本体部１２は揺動自在に振り子状に取付けられている。他の三個の角部には、ワイヤロープや器具の環を着脱自在に連結するための周知のシャックルを掛ける穴が三個、下端に穴Ｙ、その上方に穴Ｘ及び穴Ｚが形成されている。穴Ｙには荷掛案内滑車８のシャックル吊り具８ａが、穴Ｘには先柱３４側からの引戻索３８の端３９がシャックル１６により、また穴Ｚには固定手段６がシャックル１８により、それぞれ連結されている。
【００２５】
固定手段６は、引戻索３８を元柱３２側において解除自在に、かつ着脱自在に把持するクランプ部２１を備えた把持器であるクランパー２０と、クランパー２０のクランプレバーの端部の穴Ｗに一端が取付けられた連結索である連結ワイヤ２２とを備えている。そして、連結ワイヤ２２の他端は、上述のごとく搬器本体４の本体部１２の穴Ｚにシャックル１８により連結されている。連結ワイヤ２２には、屈曲自在な鋼ワイヤにより形成されている。
【００２６】
クランパー２０は、そのクランプ部２１を引戻索３８に掛けて連結ワイヤ２２を矢印Ｐ１で示す搬器本体４の本体部１２の方向に引っ張り緊張させると、クランプレバーの作用によりクランプ部２１は引戻索３８を把持し引戻索３８に固定される。逆に連結ワイヤ２２を、引張力を解除し矢印Ｐ２で示すクランパー２０の方向に弛緩させると、クランプ部２１の把持は解除され、クランパー２０は引戻索３８から自動的に離脱し外れる。この固定手段６は、架線作業などにおいて周知のもので、例えば大洋製器工業株式会社から商品名「シカゴ型クランパー」として販売されているものと同一、又は同等のものでよい。このクランパー２０は手で容易に引戻索３８に掛けることができる重さ及び大きさのものである。引戻索３８からクランプ部２１が外れたクランパー２０は、連結ワイヤ２２によって搬器本体４には保持されている。
【００２７】
搬器２を用いた集材作業について、図１及び図２を参照して説明する。
【００２８】
（１）空荷搬器の位置決め：
元柱３２側の集材場所５０で木材４８が降ろされた空荷の搬器２（クランパー２０は外れている）を、ウインチ運転者は引戻索３８を巻取り、先柱３４の案内滑車３７を通し連結した引戻索３８の端で、先柱３４の方向に引戻して、搬送する木材４８の近くの目標位置まで、引寄索４４を繰り出しながら、送る。搬器２が目標位置の上方に達したら、ウインチ運転者は玉掛作業者と連携をとって、引戻索３８の緊張を調整し、搬器２を地面の近く（例えば玉掛作業者の肩の高さ）まで降ろす。この段階で玉掛作業者は、クランパー２０のクランプ部２１を引戻索３８の元柱３２側に掛ける。そして、ウインチ運転者が引戻索３８をやや巻取り張り気味（矢印Ｐ３で示す方向）にすると、引戻索３８に掛けられた搬器２はその本体部１２が、一方を先柱３４の案内滑車３７の方向に引戻索３８により引っ張られ、他方を元柱３２の案内滑車３６の方向にクランパー２０、連結ワイヤ２２により引戻索３８を介して引っ張られ、この空中に浮上した状態に保持される。この状態は、引寄索４４の巻き取り、繰り出しに関係なく保持される。
【００２９】
（２）ワイヤ掛け：
空中に浮上した状態の搬器２から、玉掛作業者は、ウインチ運転者により繰り出されあるいは制動解除された引寄索４４を、搬送する木材４８のところまで引き出し、木材４８に掛ける（図１のＲ１の状態）。
【００３０】
（３）搬器への木材引寄せ、クランプ外し：
木材４８に引寄索４４を掛けたら、ウインチ運転者は引寄索４４を巻き取り搬器２の所まで引き寄せる。そしてウインチ運転者が、緊張状態の引戻索３８をやや送り気味（矢印Ｐ４で示す方向）に繰り出すと、クランパー２０につながった連結ワイヤ２２は弛み、クランパー２０は自動的に引戻索３８から外れる。クランパー２０は連結ワイヤ２２により搬器２につながっているので、脱落、紛失することはない。次回のクランプ作業も容易に行える。
【００３１】
（４）集材場所への木材の搬送：
ウインチ運転者は、引寄索４４を巻取り、引戻索３８を繰り出して、木材４８の吊るされた搬器２（図１のＲ２の状態）を元柱３２の側の集材場所５０に引き寄せる。
【００３２】
上述したとおりの集材用搬器２の作用効果について説明する。
【００３３】
（１）玉掛作業の容易化：
固定手段６のクランパー２０により搬器２の走行を引戻索３８に固定することにより、搬器２を木材を吊る目標位置において地面から浮かした位置に保持することができる。したがって、木材に掛けられる引寄索４４は空中の搬器２から垂れ下がる状態になるので、従来の地上の搬器からワイヤを引き出し取り回わすのに比べて、楽に引き出し玉掛けなどの作業を行うことができる。したがって、集材作業の省力化が図れる。
【００３４】
（２）搬器運搬の容易化：
搬器２は、滑車部１０と本体部１２とがボルト１４ｂを抜くことで、また本体部１２と荷掛案内滑車８とが荷掛案内滑車８のシャックル吊り具８ａを外すことで、さらにクランパー２０と本体部１２とがシャックル１８を外すことで、そして引戻索３８の先端と本体部１２とがシャックル１６を外すことで、それぞれを容易に分離できるので、適宜に分離すれば、集材場所の移動などの際の搬器の運搬を容易に行うことができる。
【００３５】
（３）搬器の軽量化：
搬器２を、滑車部１０、一枚板の本体部１２、及び荷掛滑車８で構成したので、搬器２そのものも簡素化、軽量化される。したがって、ワイヤの取り回しなどにおいて、搬器の移動が必要な場合においても移動が容易である。
【００３６】
（４）搬器固定の容易化：
索に搬器２の走行を固定する手段としての固定手段６として、操作の容易なクランパー２０を用いたので、搬器２を固定した集材状態から固定を解除した運搬状態に簡単に切り換えることができる。また、クランパー２０は搬器２に連結ケーブル２２によってつながっているので、紛失することがない。そして、クランパー２０はワンタッチで操作することができるとともに、連結ワイヤ２２を介して荷重が掛かるほど強力に搬器２を引戻索３８に固定する。
【００３７】
（５）集材経費の低減：
搬器２の構造の簡素化、ワイヤの取り回し作業の容易化、架線設備の簡素化、そして搬器運搬の容易化など、集材経費の低減を図ることができる。
【００３８】
以上、本発明を実施の形態に基づいて詳細に説明したが、本発明は上記の実施の形態に限定されるものではなく、本発明の範囲内においてさまざまな変形あるいは修正ができるものである。例えば、本実施の形態においては、元柱３２及び先柱３４として立木が用いられているが、元柱及び／又は先柱は、タワーヤーダーとして周知の例えば油圧ショベルの作業機や、地面に埋めたアンカーや、一時的に建てた支柱や、車両上の支柱など適宜の手段でよいことはいうまでもない。
【００３９】
【発明の効果】
本発明に従って構成された集材用搬器によれば、搬器を地上に降ろすことなしに集材用のワイヤの取り回しができるようにし、また集材場所の移動などの際の搬器の運搬も容易に行なえるようにした、集材用搬器が提供される。
【図面の簡単な説明】
【図１】本発明に従って構成された集材用搬器を用いた集材作業の説明図。
【図２】図１のＡで示した集材用搬器の部分の拡大図。
【図３】図２のＢ−Ｂ矢印方向に見た拡大断面図。
【図４】従来の集材用搬器を用いた集材作業の説明図。
【図５】図４のＣで示した集材用搬器の部分の拡大図。
【符号の説明】
２：搬器（集材用搬器）
４：搬器本体
６：固定手段
８：荷掛案内滑車
１０：滑車部
１２：本体部
２０：クランパー（把持器）
２２：連結ワイヤ（連結索）
３０：集材機
３２：元柱
３４：先柱
３６：案内滑車
３７：案内滑車
３８：引戻索
４０：搬器
４４：引寄索
４８：木材（荷）
【図１】
0003811050.tif 000002
【図２】
0003811050.tif 000003
【図３】
0003811050.tif 000004
【図４】
0003811050.tif 000005
【図５】
0003811050.tif 000006